(57)【要約】【課題】従来は接着式で部品交換が悪く、シングルハンド型しか選ぶこと出来なかったグリップを、部品の着脱性を容易にし、各部品単位での交換を容易にし、さらにシングルハンド型とダブルハンド型の利点を生かしたグリップを提供する。【解決手段】接着剤を使用せずにテーパー締結やボルト締結を用いてグリップの各パーツを締結・固定できるようにする。また、グリップの本体の後端には着脱自在な回転格納式の補助グリップを任意で取り付けることが出来る。このことによりシングルハンド型とダブルハンド型の両方の利点を生かす。【選択図】　　　　図１
2004081064.tif 000002
【特許請求の範囲】
【請求項１】
釣竿の竿体に配置されるグリップであって、竿体への脱着、及び各部品ごとの交換が容易なグリップ本体とその締結方法。
【請求項２】
前記のグリップ本体にかかるセンターパイプと木製フロントグリップの締結方法を有するグリップ。
【請求項３】
前記のグリップ本体を竿体に取り付けた状態でグリップ後端部に締結可能な締結部材を有する回転格納式補助グリップ。
【発明の詳細な説明】
【０００１】
【発明が属する技術分野】
本発明は釣竿の竿体に配置され釣人が把持するグリップに関する。
【０００２】
【従来の技術】
釣竿の手元側には釣竿を把持するためのグリップが設けられている。このグリップの部品は接着剤で接着されることが主流である。その為各部品ごとの交換が容易ではなかった。また、従来のグリップを大別するとシングルハンド型とダブルハンド型の二つのタイプがあり、シングルハンド型はグリップが短く操作性は良いが釣り上げ力は弱く遠投性も悪い。ダブルハンド型はグリップが長く操作性は悪いが釣り上げ力は大きく遠投性も良いという特徴を持つ。
【０００３】
【発明が解決しようとする課題】
本発明の課題は、グリップの各部品の交換を容易にし、シングルハンド型の持つ操作性とダブルハンド型の持つ遠投性と釣り上げ力を有するグリップを提供することにある。
【０００４】
【課題を解決するための手段】
本発明は、竿体とセンターパイプ以外の部品を、接着剤を使用せずに締結することを可能としたため、各部品ごとの交換を容易にする。また、遠投性や釣り上げ力、さらに操作性を高めることを可能とする回転格納式の補助グリップを特徴とする。
【０００５】
発明１にかかるグリップは、竿体、センターパイプ、リールシート、木製リアグリップで構成されており、竿体にセンターパイプを接着し、木製リアグリップのボルトを締めることによりセンターパイプ、リールシート、木製リアグリップが着脱自在に締結される。
【０００６】
発明２にかかるグリップは、発明１のセンターパイプに締結されるフロントグリップであり、センターパイプ、テーパパイプ、木製フロントグリップで構成されている。センターパイプにテーパパイプをはめ込み、テーパ穴加工された木製フロントグリップをその上部から差し込むことによりセンターパイプ、テーパパイプ、木製フロントグリップが締結される。発明１と発明２により、竿体とセンターパイプ以外の部品が接着剤を使用せずに着脱自在に締結することが可能となった。
【０００７】
発明３にかかる回転格納式補助グリップは、発明１の木製リアグリップの後端に装着される補助グリップであり、木製リアグリップ、エルボーパーツ、ロック機構、補助グリップにより構成されている。木製リアグリップ後端にエルボーパーツをボルト締結し、エルボーパーツに補助グリップをボルト締結することにより、補助グリップは回転格納が可能となる。これにより、近距離へのキャスト時やリーリング時には補助グリップを竿体側に回転格納して操作性を高め、遠距離へのキャスト時やフッキング時には補助グリップを回転させ、手腕下部でロック機構によって固定されるため遠投性や釣り上げ力を高めることが可能となった。
【０００８】
【発明の実施の形態】
［第１実施形態］以下、本発明の第１実施形態について図面を参照しつつ説明する。
本発明の第１実施形態を採用した木製グリップは竿体１と、竿体１に装着されたセンターパイプ２と、前記のセンターパイプ２の前方に着脱自在に取り付けられたテーパパイプ３を有しており、前記のテーパパイプ３により木製フロントグリップ４が締結される。また、前記センターパイプ２と木製リアグリップ８に装着される止め具６によってリールシート５が強固に締結される。
【０００９】
木製リアグリップ８の後端にはグリップエンドパーツ９が接着されている。通常、グリップエンドパーツ９にはグリップエンドキャップ１０が締結され、シングルハンドグリップとして構成されている。このグリップエンドキャップ１０をエルボーパーツ１１に交換することにより補助グリップ１２がエルボパーツ１１に回転可能に取りつけられ、ロック機構１３により補助グリップ１２は任意の角度で固定することが可能となる。
【００１０】
竿体１とセンターパイプ２は接着剤等によって接着され固定されている。センターパイプ２は薄円筒材２ａと厚円筒材２ｂからなる円筒材である。２ａ−２部は後に詳しく説明するテーパパイプ３をはめ込むことが出来るように薄円筒状に形成されている。テーパパイプ３は、略半円筒状の１対の半割部材３ａ、３ｂからなる円筒型の部材である。３ａと３ｂは後方に行くにつれ、外周が大きくなっている。そしてその内径はセンターパイプ２ａ−２部の外径にほぼ合致するように形成されている。さらに２ａ−１と２ａ−３はテーパパイプ３ａと３ｂの長さに合致するように配置されている。３ａと３ｂは２ａ−２部を両側から挟み込み、その上から後に詳しく説明する木製フロントグリップ４をかぶせ、はめ込むことにより強固に固定される。このことにより、センターパイプ２とテーパパイプ３と木製フロントグリップ４が着脱自在に締結される。木製フロントグリップ４は外径が釣人の手になじむように加工されており、内径はテーパパイプ３の外径に合致するように加工されている円筒型の部材である。
【００１１】
前記センターパイプ２の２ａ−４部の外径はリールシート５の内径にほぼ合致するように形成されている。センターパイプ２の２ａ−３部の後端から２ｂ−２部の穴の中心までの距離は、センターパイプ２の２ａ−３部の後端から木製リアグリップ８ａ−２部の穴の中心までの距離よりやや短い。木製リアグリップ８の８ａ−１部には後に詳しく説明するアンカーパーツ７が、８ａ−２部には止め具６の埋め込みナット６ａがそれぞれ接着されている。８ａ−１部の内径はアンカーパーツ７の外径に、８ａ−２部の内径は止め具６の埋め込みナット６ａの外径に、それぞれ合致するように加工されている。木製リアグリップ８の外径は使用者の手に馴染み、滑りにくく、かつどのような角度においても腕に干渉しない形状に加工されている。
【００１２】
センターパイプ２の２ａ−４部にリールシート５を差込み、さらにセンターパイプ２の２ｂをアンカーパーツ７の接着された木製リアグリップ８の８ａ−１部に差し込む。この状態で止め具６の止めネジ６ｂを埋め込みナット６ａにねじ込むことにより、センターパイプ２とリールシート５と木製リアグリップ８が着脱自在に締結される。また前述の穴の中心をわずかにずらして配置していることにより、締め付け力が上方向からだけでなく後方にも働く為、センターパイプ２とリールシート５と木製リアグリップ８の締結度がより高まった。アンカーパーツ７の外径は木製リアグリップ８の８ａ−１部の内径に、７ａ−１部の内径はリールシート５の外径に、また、７ａ−２部の内径はセンターパイプ２の２ｂの外径に、それぞれほぼ合致するように形成されている。
【００１３】
木製リアグリップ８の８ａ−３部にはグリップエンドパーツ９が接着される。その為８ａ−３部の外径はグリップエンドパーツ９の９ａ−１部の形状に合致するように加工されている。
【００１４】
木製リアグリップ８に接着されるグリップエンドパーツ９にグリップエンドキャップ１０を締結することにより、シングルハンド型グリップとして使用することができる。グリップエンドパーツ９の９ａ−１部の内径は雌ネジになっていて、グリップエンドキャップ１０の１０ａ−１部は雄ネジになっており、手でグリップエンドキャップ１０をねじ込むことにより締結される。
【００１５】
前述のグリップエンドパーツ９にエルボーパーツ１１をボルト締結し、さらにロック機構１３を有する補助グリップ１２を取り付けることにより回転格納が可能な可変ダブルハンド型グリップとして使用できる。
【００１６】
エルボーパーツ１１の１１ａ−１部はグリップエンドパーツ９の９ａ−２部に合致するように形成されており、ボルトでグリップエンドパーツ９に締結した際、エルボーパーツ１１自体の回り止めとして作用する。
【００１７】
補助グリップ１２の１２ａ−１部の内径はエルボ−パーツ１１の１１ａ−２部の外径に合致するように加工されており、エルボ−パーツ１１の１１ａ−４部にボルトをねじ込むことにより、補助グリップ１２は回転可能にエルボーパーツ１１に取り付けられる。
【００１８】
ロック機構１３の１３ａ−１部の外径はエルボ−パーツ１１の１１ａ−３部の内径に合致するように形成されており、１３ａ−１部は１３ｂ−１部のバネにより常にエルボ−パーツ１１の１１ａ−３部の中心方向に押されている。よって補助グリップ１２を回転取出しした後際、１１ａ−３部と１３ａ−１部が一致した所で１１ａ−３部に１３ａ−１部が入り込むことにより、補助グリップ１２はロックされる。この状態で使用することにより本グリップはダブルハンド型グリップとして機能する。
【００１９】
【発明の効果】
以上のことにより脱着が容易で、自由自在に部品交換が出来るようになったため、釣人は好みに応じた部品を組み合わせたり、部品の破損時にはグリップ全体ではなく破損部品のみの交換が可能になる。また、補助グリップを取り付ければシングルハンド型とダブルハンド型の両方の利点を生かした釣が楽しめるようになる。
【００２０】
【図面の簡単な説明】
【図１】全体組み図
【図２】センターパイプとテーパパイプの説明図
【図３】木製フロントグリップと木製リアグリップの説明図
【図４】止め具の説明図
【図５】アンカーパーツの説明図
【図６】グリップエンドパーツとグリップエンドキャップの説明図
【図７】エルボーパーツの説明図
【図８】補助グリップとロック機構の説明図
【符号の説明】
１　竿体
２　センターパイプ
３　テーパパイプ
４　木製フロントグリップ
５　リールシート
６　止め具
７　アンカーパーツ
８　木製リアグリップ
９　グリップエンドパーツ
１０　グリップエンドキャップ
１１　エルボーパーツ
１２　補助グリップ
１３　ロック機構
【図１】
2004081064.tif 000003
【図２】
2004081064.tif 000004
【図３】
2004081064.tif 000005
【図４】
2004081064.tif 000006
【図５】
2004081064.tif 000007
【図６】
2004081064.tif 000008
【図７】
2004081064.tif 000009
【図８】
2004081064.tif 000010